(57)【要約】【課題】複数の特色毎の網点の面積比率によって表現できる組合せ色の色が、元の特色毎の分光反射率から予測できる機能を備えた、組合せ色情報算出装置及び組合せ色情報算出方法を提供する。【解決手段】入出力手段１２が複数の特色の選択とその各特色の網点印刷における網点の面積比率と前記印刷対象物の選択を受け付け、三刺激値算出手段１３が各特色の分光反射率から各特色の三刺激値と、印刷対象物の印刷面の色の三刺激値と、各特色が重なった時の色の三刺激値を算出する。また、出力色情報算出手段１４が三刺激値算出手段１３で求めた各三刺激値から、入出力手段１２で受け付けた各特色を前記面積比率で印刷した組合せ色の三刺激値を算出し、その組合せ色の三刺激値から組合せ色の光源色を算出する。入出力手段１２が出力色情報算出手段１４の算出した光源色の色をモニタに表示する。【選択図】　図１
2004080257.tif 000002
【特許請求の範囲】
【請求項１】
複数の基本色の分光反射率と前記基本色を複数組合せた特色の分光反射率と印刷対象物の印刷面の色の分光反射率とを保持する色情報データベースと、
複数の前記特色の選択とその各特色の網点印刷における網点の面積比率と前記印刷対象物の選択を受け付ける入力手段と、
前記入力手段が受け付けた特色毎の分光反射率と前記印刷対象物の印刷面の色の分光反射率を前記色情報データベースから読み出して、各特色の分光反射率から各特色の三刺激値を算出し、前記印刷対象物の印刷面の色の分光反射率から前記印刷対象物の印刷面の色の三刺激値を算出し、さらに前記各特色の分光反射率に基づいて、その各特色が重なった時の色の三刺激値を全ての重なりの組合せに関して算出する三刺激値算出手段と、
前記三刺激値算出手段で求めた各三刺激値から、前記入力手段で受け付けた各特色を前記面積比率で網点印刷した組合せ色の三刺激値を算出し、前記組合せ色の三刺激値から前記組合せ色の光源色を算出する出力色情報算出手段と、
前記出力色情報算出手段が算出した光源色の色を表示する出力手段と、
を備える事を特徴とする組合せ色情報算出装置。
【請求項２】
前記基本色は、マンセル表色系の１０色相の有彩色における色相毎に選出される２つの色、もしくは、前記マンセル表色系の１０色相のうちの１つの色相において色が選出されない場合には色が選出されない色相に隣接する色相から選出される１つないし２つの色の有彩色と白と黒とメジュームの３つの無彩色で構成された基本色であることを特徴とする請求項１に記載の組合せ色情報算出装置。
【請求項３】
複数の基本色の分光反射率と前記基本色を複数組合せた特色の分光反射率と印刷対象物の印刷面の色の分光反射率とを保持する色情報データベースを備える組合せ色情報算出装置を用いた組合せ色情報算出方法であって、複数の前記特色の選択とその各特色の網点印刷における網点の面積比率と前記印刷対象物の選択を受け付ける入力過程と、
前記入力過程で受け付けた特色毎の分光反射率と前記印刷対象物の印刷面の色の分光反射率を前記色情報データベースから読み出して、各特色の分光反射率から各特色の三刺激値を算出し、前記印刷対象物の印刷面の色の分光反射率から前記印刷対象物の印刷面の色の三刺激値を算出し、さらに前記各特色の分光反射率に基づいて、その各特色が重なった時の色の三刺激値を全ての重なりの組合せに関して算出する三刺激値算出過程と、
前記三刺激値算出過程で求めた各三刺激値から、前記入力過程で受け付けた各特色を前記面積比率で網点印刷した組合せ色の三刺激値を算出し、前記組合せ色の三刺激値から前記組合せ色の光源色を算出する出力色情報算出過程と、
前記出力色情報算出過程で算出した光源色の色を表示する出力過程と、
を備える事を特徴とする組合せ色情報算出方法。
【請求項４】
前記基本色は、マンセル表色系の１０色相の有彩色における色相毎に選出される２つの色、もしくは、前記マンセル表色系の１０色相のうちの１つの色相において色が選出されない場合には色が選出されない色相に隣接する色相から選出される１つないし２つの色の有彩色と白と黒とメジュームの３つの無彩色で構成された基本色であることを特徴とする請求項３に記載の組合せ色情報算出方法。
【発明の詳細な説明】
【０００１】
【発明の属する技術分野】
この発明は、コンピュータシステムに係り、特に、組合せ色情報算出装置及び組合せ色情報算出方法に関するものである。
【０００２】
【従来の技術】
従来、細かな網点の面積比率で色を表現する網点印刷では、色再現範囲の向上やデザインの指定色を出すために、プロセス印刷における色の４原色であるＣ（シアン）、Ｍ（マゼンタ）、Ｙ（イエロ）、Ｋ（ブラック）の網点の面積比率の調節だけではなく、印刷業者などが独自に準備した複数の基本色及びそれら基本色を組合せた特色のインキを複数用いて網点の面積比率を変化させて、基本色及び特色による組合せ色を表現し、印刷を行う場合がある。例えば飲料缶に印刷するためのインキでは特色は５００色程度の色数があるが、印刷する図柄などをデザイナーの指示通りに正確に表現するには５００色程度の色数では足りないため、特色をさらに網点で重ね合わせて組合せた組合せ色を作り出して印刷を行う。
【０００３】
【発明が解決しようとする課題】
しかしながら、色の４原色であるＣ（シアン）、Ｍ（マゼンタ）、Ｙ（イエロ）、Ｋ（ブラック）で網点の面積比率を変化させた場合の色予測が、伝統的に利用される色見本チャートにより判断できるのに対して、上述の特色のインキを複数用いて網点の面積比率を変化させて組合せ色の色を表現する方法では、特色の網点の面積比率による膨大な数の組合せ色がどのような色になるかの予測が出来ない。
そこでこの発明は、選出した複数の特色の網点の面積比率によって表現できる組合せ色の色が、元の特色毎の分光反射率から予測できる機能を備えた、組合せ色情報算出装置及び組合せ色情報算出方法を提供することを目的としている。
【０００４】
【課題を解決するための手段】
本発明は、上述の課題を解決すべくなされたもので、請求項１に記載の発明は、複数の基本色の分光反射率と前記基本色を複数組合せた特色の分光反射率と印刷対象物の印刷面の色の分光反射率とを保持する色情報データベースと、複数の前記特色の選択とその各特色の網点印刷における網点の面積比率と前記印刷対象物の選択を受け付ける入力手段と、前記入力手段が受け付けた特色毎の分光反射率と前記印刷対象物の印刷面の色の分光反射率を前記色情報データベースから読み出して、各特色の分光反射率から各特色の三刺激値を算出し、前記印刷対象物の印刷面の色の分光反射率から前記印刷対象物の印刷面の色の三刺激値を算出し、さらに前記各特色の分光反射率に基づいて、その各特色が重なった時の色の三刺激値を全ての重なりの組合せに関して算出する三刺激値算出手段と、前記三刺激値算出手段で求めた各三刺激値から、入力手段で受け付けた各特色を前記面積比率で網点印刷した組合せ色の三刺激値を算出し、前記組合せ色の三刺激値から前記組合せ色の光源色を算出する出力色情報算出手段と、前記出力色情報算出手段が算出した光源色の色を表示する出力手段とを備える事を特徴とする組合せ色情報算出装置である。
なお、本願発明において色情報データベースには基本色の分光反射率も含まれており、複数の特色を選択してそれらを網点印刷した組合せ色を求める際に、選択される特色には基本色も含まれるものとする。
【０００５】
上述の構成によれば、入力手段が複数の前記特色の選択とその各特色の網点印刷における網点の面積比率と前記印刷対象物の選択を受け付ける。そして、三刺激値算出手段が入力手段の受け付けた特色毎の分光反射率と印刷対象物の印刷面の色の分光反射率を色情報データベースから読み出して、各特色の分光反射率から各特色の三刺激値を算出し、印刷対象物の印刷面の色の分光反射率から前記印刷対象物の印刷面の色の三刺激値を算出し、さらに各特色の分光反射率に基づいて、その各特色が重なった時の色の三刺激値を全ての重なりの組合せに関して算出する。また、出力色情報算出手段が三刺激値算出手段で求めた各三刺激値から、入力手段で受け付けた各特色を前記面積比率で網点印刷した組合せ色の三刺激値を算出し、前記組合せ色の三刺激値から前記組合せ色の光源色を算出する。そして、出力手段が出力色情報算出手段の算出した光源色の色をモニタなどに表示する。これにより、選出した複数の特色の網点の面積比率によって表現できる組合せ色の色を、実際に印刷対象物に印刷を行うことなく予測することができる。
【０００６】
また、請求項２に記載の発明は、請求項１に記載の基本色が、マンセル表色系の１０色相の有彩色における色相毎に選出される２つの色、もしくは、前記マンセル表色系の１０色相のうちの１つの色相において色が選出されない場合には色が選出されない色相に隣接する色相から選出される１つないし２つの色の有彩色と白と黒とメジュームの３つの無彩色で構成された基本色であることを特徴とする。
【０００７】
また、請求項３に記載の発明は、複数の基本色の分光反射率と前記基本色を複数組合せた特色の分光反射率と印刷対象物の印刷面の色の分光反射率とを保持する色情報データベースを備える組合せ色情報算出装置を用いた組合せ色情報算出方法であって、複数の前記特色の選択とその各特色の網点印刷における網点の面積比率と前記印刷対象物の選択を受け付ける入力過程と、前記入力過程で受け付けた特色毎の分光反射率と前記印刷対象物の印刷面の色の分光反射率を前記色情報データベースから読み出して、各特色の分光反射率から各特色の三刺激値を算出し、前記印刷対象物の印刷面の色の分光反射率から前記印刷対象物の印刷面の色の三刺激値を算出し、さらに前記各特色の分光反射率に基づいて、その各特色が重なった時の色の三刺激値を全ての重なりの組合せに関して算出する三刺激値算出過程と、前記三刺激値算出過程で求めた各三刺激値から、入力過程で受け付けた各特色を前記面積比率で印刷した組合せ色の三刺激値を算出し、前記組合せ色の三刺激値から前記組合せ色の光源色を算出する出力色情報算出過程と、前記出力色情報算出過程で算出した光源色の色を表示する出力過程とを備える事を特徴とする組合せ色情報算出方法である。
【０００８】
また、請求項４に記載の発明は、請求項３に記載の基本色が、マンセル表色系の１０色相の有彩色における色相毎に選出される２つの色、もしくは、前記マンセル表色系の１０色相のうちの１つの色相において色が選出されない場合には色が選出されない色相に隣接する色相から選出される１つないし２つの色の有彩色と白と黒とメジュームの３つの無彩色で構成された基本色であることを特徴とする。
【０００９】
【発明の実施の形態】
以下、本発明の一実施形態による組合せ色情報算出装置を図面を参照して説明する。
図１は、この発明の一実施形態による組合せ色情報算出装置の構成を示す概略ブロック図である。この図において符号１は組合せ色情報算出装置である。そして組合せ色情報算出装置１において、符合１１は複数の基本色の分光反射率を保持し、また、複数の基本色を組合せた特色の分光反射率を特色毎に保持し、また、網点印刷を行う印刷対象物の印刷面の色の分光反射率を保持している色情報データベースである。ここで、分光反射率とは色に連続する複数の波長の光を当てた場合の波長毎の反射率を示す数値である。
１２はモニタ及びキーボード、マウスなどからなる入出力部（入力手段、出力手段）であり、キーボードまたはマウスにおいては色情報データベース１１で保持する複数の特色の選択と、その特色の網点の面積比率と、印刷対象物の選択を外部のユーザなどより受け付ける。尚、ユーザは例えば印刷業者などであり、特色を組合せた組合せ色の色の予測を組合せ色情報算出装置１で行う。
１３は入出力部１２で受け付けた各特色の三刺激値を色情報データベース１１に保持する特色毎の分光反射率から算出し、また、入出力部１２で受け付けた複数の特色において２つの特色が重なり合った時の三刺激値を、色情報データベース１１に保持する特色毎の分光反射率から算出し、また、入出力部１２で受け付けた印刷対象物の印刷面の色の三刺激値を、色情報データベース１１に保持する印刷対象物の印刷面の色の分光反射率から算出する三刺激値算出手段である。
また、１４は入出力部１２で受け付けた各特色の三刺激値と、入出力部１２で受け付けた複数の特色において２つの特色が重なり合った時の三刺激値と、入出力部１２で受け付けた印刷対象物の印刷面の色の三刺激値と、入出力部１２で受け付けた特色毎の網点の面積比率から、入出力部１２で受け付けた各特色を、同じく入出力部１２で受け付けた網点の面積比率で組合せた組合せ色の三刺激値を算出し、その組合せ色の三刺激値からさらに光源色（Ｒ、Ｇ、Ｂ）を算出する出力色情報算出手段である。そして出力色情報算出手段１４は算出した光源色を用いて、組合せ色の色を入出力部１２のモニタなどに出力する。
また、１５は基本色や特色や印刷対象物の印刷面の分光反射率を測定する分光光度計である。尚、印刷対象物の印刷面の色は、予め分光光度計１５で印刷対象物の印刷面を測定することにより、分光反射率を色情報データベース１１保持させる。
【００１０】
尚、図１に示した各処理部は、専用のハードウェアにより実現されるものであってもよく、また、各処理部はメモリおよびＣＰＵ（中央演算装置）により構成され、各処理部の機能を実現する為のプログラムをメモリにロードして実行することによりその機能を実現させるものであってもよい。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ　Ａｃｃｅｓｓ　Ｍｅｍｏｒｙ）のような揮発性のメモリ、あるいはこれらの組合せによるコンピュータ読み取り、書き込み可能な記録媒体より構成されるものとする。
【００１１】
次に、本実施形態における基本色および特色の詳細について説明する。まず、基本色とは印刷を行う際の基となるインキの色である。そして、この基本色の複数の組合せで混合した色が特色である。
ここで基本色は、マンセル表色系の１０色相（Ｒ（赤）、Ｙ（黄）、Ｇ（緑）、Ｂ（青）、Ｐ（柴）の５主要色相と、それぞれの物理補色を中間にとったＹＧ、ＧＹ、ＢＧ、ＰＢ、ＰＲの１０色相）の有彩色と、白と黒とメジュームの３つの無彩色から構成される。例えば、有彩色はマンセル表色系１０色相の各色相において１つもしくは２つの基本色を選出するか、もしくは、ある１つの色相における色を基本色として選出しない場合には、その色相に隣接する色相から１つないし２つの色を基本色として選出すればよい。
【００１２】
そして、これらの基本色の選出方法により、本実施形態においては、演色域が広く取れるような１４色を基本色とする。以下に１４色の基本色を示す。
１：Ｃ藍、２：Ｃ−２藍、３：Ｇ草、４：Ｍ牡丹、５：Ｏ２橙、６：Ｒ３赤、７：Ｒ６金赤、８：Ｖ柴、９：Ｙ１青黄、１０：Ｙ２黄、１１：Ｙ４黄、１２：Ｗ白、１３：Ｂ黒、１４：ＶＩＣビクトリア。
以上の１４色において１〜１１は有彩色であり、１１〜１３は無彩色である。
【００１３】
また、特色は上述の１４色の基本色を以下の様に組合せる。
１：有彩色１色のみ
２：無彩色１色のみ
３：有彩色１色＋無彩色１色の組合せ
４：有彩色１色＋無彩色２色の組合せ
５：有彩色１色＋無彩色３色の組合せ
６：有彩色２色の組合せ
７：無彩色２色の組合せ
８：有彩色２色＋無彩色１色の組合せ
９：有彩色２色＋無彩色２色の組合せ
１０：有彩色２色＋無彩色３色の組合せ
１１：有彩色３色の組合せ
１２：無彩色３色の組合せ
１３：有彩色３色＋無彩色１色の組合せ
１４：有彩色３色＋無彩色２色の組合せ
１５：有彩色３色＋無彩色３色の組合せ
１６：有彩色４色の組合せ
１７：有彩色４色＋無彩色１色の組合せ
１８：有彩色４色＋無彩色２色の組合せ
１９：有彩色４色＋無彩色３色の組合せ
そして、基本色の１〜１９の組合せに基づいて、マンセル表色系の色見本を作成できるだけの数の特色を基本色のインキを混合して作り出す。そして、各特色の分光反射率を分光光度計１５で測定し、色情報データベース１１で保持する。また、基本色の分光反射率も分光光度計１５で測定し、色情報データベース１１に記憶で保持する。
そして色情報データベース１１は具体的には、特色もしくは基本色とその分光反射率を対応付けたテーブルを保持し、また、印刷対象物名称と、その印刷対象物の印刷面の色の分光反射率を対応付けて保持するテーブルを有している。
【００１４】
次に、上述した組合せ色情報算出装置１の処理を図２を参照しながら詳細に説明する。図２は本実施形態における組合せ色情報算出装置１の処理を示すフローチャートである。
図２より、まず、入出力部１２はモニタ上に特色のマンセル表色系に基づく色見本を提示し、ユーザから３つの特色（特色１、特色２、特色３）の選択を受け付け、また、網点印刷における各特色の網点の面積比率の入力を受け付ける。ここで特色１、特色２、特色３の網点における各面積比率をｃ、ｍ、ｙとする。そして、また、網点印刷を行う印刷対象物の一覧を提示し、印刷対象物として金属板またはアルミ缶の選択を受け付ける（ステップＳ１）。
【００１５】
次に、ユーザより特色の組合せの選択を受け付けた入出力部１２は、受け付けた３つの特色と、各特色の網点印刷の網点における面積比率と、印刷対象物がアルミ缶であることを三刺激値算出手段１３に伝える。そして、三刺激値算出手段１３は、入出力部１２より伝えられた各特色の分光反射率と、印刷対象物であるアルミ缶の印刷面の色の分光反射率を色情報データベース１１から読み取る。そして三刺激値算出手段１３は、各特色の分光反射率からその三刺激値を算出し、印刷対象物であるアルミ缶の印刷面の色の分光反射率からその三刺激値を算出し、また、入出力部１２で受け付けた各特色が重なった時の色の三刺激値を全ての重なりの組合せに関して各特色の分光反射率から算出する（ステップＳ２）。
ここで特色１の三刺激値を（Ｘｃ、Ｙｃ、Ｚｃ）、特色２の三刺激値を（Ｘｍ、Ｙｍ、Ｚｍ）、特色３の三刺激値を（Ｘｙ、Ｙｙ、Ｚｙ）とする。また、特色が重なる部分は、特色２と特色３の重なる部分と、特色１と特色３が重なる部分と、特色１と特色２が重なる部分と、特色１、２、３が重なる部分であり、特色２と特色３が重なった部分の色の三刺激値を（ＸＲ、ＹＲ、ＺＲ）、特色１と特色３が重なった部分の三刺激値を（ＸＧ、ＹＧ、ＺＧ）、特色１と特色２が重なった部分を（ＸＢ、ＹＢ、ＺＢ）、特色１と特色２と特色３が重なった部分の三刺激値を（ＸＫ、ＹＫ、ＺＫ）、アルミ缶の印刷面の色の三刺激値を（ＸＷ、ＹＷ、ＺＷ）とする。
尚、分光反射率から三刺激値を導き出す過程は公知の技術であるので、分光反射率から三刺激値を算出する数式は省略する。
【００１６】
次に、出力色情報算出手段１４が、ステップＳ２において三刺激値算出手段１３の算出した各特色の三刺激値と、アルミ缶の印刷面の色の三刺激値と、特色が重なる部分の色の三刺激値により、ノイゲバウワーの方程式などを用いて、複数の特色が入出力部１２で受け付けた網点の面積比率で網点印刷された場合の組合せ色の三刺激値（Ｘ、Ｙ、Ｚ）を算出する（ステップＳ３）。ノイゲバウワーの式は
【００１７】
【数１】
2004080257.tif 000003
【００１８】
で表す事が出来る。
次に、出力色情報算出手段１４は、算出した組合せ色の三刺激値（Ｘ、Ｙ、Ｚ）から光源色のＲ、Ｇ、Ｂの値を導き出す（ステップＳ４）。
そして、出力色情報算出手段１４は算出した光源色のＲ、Ｇ、Ｂにより組合せ色を入出力部１２のモニタなどに表示する（ステップＳ５）。
【００１９】
尚、本実施形態においては入出力部１２において直接にユーザより特色の選択や、各特色の網点の面積比率の入力や、印刷対象物の選択を受け付けているが、インターネットなどの通信ネットワークを介して、入出力部１２がユーザより特色の選択や、各特色の網点の面積比率の入力や、印刷対象物の選択を受け付けても良い。
【００２０】
【発明の効果】
以上説明したように、この発明によれば、入力手段が複数の前記特色の選択とその各特色の網点印刷における網点の面積比率と前記印刷対象物の選択を受け付ける。そして、三刺激値算出手段が入力手段の受け付けた特色毎の分光反射率と印刷対象物の印刷面の色の分光反射率を色情報データベースから読み出して、各特色の分光反射率から各特色の三刺激値を算出し、印刷対象物の印刷面の色の分光反射率から前記印刷対象物の印刷面の色の三刺激値を算出し、さらに各特色の分光反射率に基づいて、その各特色が重なった時の色の三刺激値を全ての重なりの組合せに関して算出する。また、出力色情報算出手段が三刺激値算出手段で求めた各三刺激値から、入出力手段で受け付けた各特色を前記面積比率で網点印刷した組合せ色の三刺激値を算出し、前記組合せ色の三刺激値から前記組合せ色の光源色を算出する。そして、出力手段が出力色情報算出手段の算出した光源色の色をモニタなどに表示する。これにより、選出した複数の特色の網点の面積比率によって表現できる組合せ色の色を、実際に印刷対象物に印刷を行うことなく予測することができる。
【図面の簡単な説明】
【図１】この発明の一実施形態による組合せ色情報算出装置の構成を示す概略ブロック図である。
【図２】本実施形態における組合せ色情報算出装置１の処理を示すフローチャートである。
【符号の説明】
１　組合せ色情報算出装置
１１　色情報データベース
１２　入出力部
１３　三刺激値算出手段
１４　出力色情報算出手段
１５　分光光度計
【図１】
2004080257.tif 000004
【図２】
2004080257.tif 000005